(57)【特許請求の範囲】
【請求項１】
コンピュータ装置の自動バックアップシステムであって、
データを保存する第１の領域及びバックアップデータを保存する第２の領域を有する保存メモリと、
前記第１の領域に対するデータの書込み／読み出し動作を制御する第１のファイル制御手段と、
前記第１のファイル制御手段とはデータの書込み／読み出し動作の制御機能は同じであるが構造が異なるファイル制御手段であって、前記第２の領域に対するデータの書込み／読み出し動作を制御する第２のファイル制御手段と、
前記コンピュータ装置による処理の過程で前記第１の領域へのデータの書込みを行なう場合は、前記第１のファイル制御手段の書込み制御手段によるデータの書込み制御動作を前記第２のファイル制御手段によるバックアップデータの書込み制御動作より優先して動作させる書込み制御手段と、を備えたことを特徴とする自動バックアップシステム。
【請求項２】
前記書込み制御手段は、前記第２のファイル制御手段による前記第２の領域へのバックアップデータの書込み中に前記第１の領域へのデータの書込み要求があった場合には、前記第２のファイル制御手段に該第２の領域へのバックアップデータの書込み中断制御を行わせた後、該第１のファイル制御手段に前記第１の領域へのデータの書込み制御を行わせ、前記第１の領域へのデータの書込みの終了後に前記第２のファイル制御手段に前記第２の領域への書込み再開制御を行わせることを特徴とする請求項１記載の自動バックアップシステム。
【請求項３】
更に、前記書込み制御手段は、前記コンピュータ装置がシャットダウンされた場合は前記第２の領域へのバックアップデータの書込み中に前記第１の領域へのデータの書込み要求があっても、前記第２のファイル制御手段による前記第２の領域へのバックアップデータの書込み制御を優先させることを特徴とする請求項２記載のバックアップシステム。
【請求項４】
コンピュータによる処理の過程で保存メモリに書き込まれるデータの自動バックアップを行なう自動バックアッププログラムを記録した記録媒体であって、
コンピュータを、
前記保存メモリに割り当てられている第１の領域に対するデータの書込み／読み出し動作を制御する第１のファイル制御手段、
前記第１のファイル制御手段とはデータの書込み／読み出し動作の制御機能は同じであるが構造が異なるファイル制御手段であって、前記保存メモリに割り当てられている第２の領域に対するデータの書込み／読み出し動作を制御する第２のファイル制御手段、
前記コンピュータによる処理の過程で前記第１の領域へのデータの書込みを行なう場合は、この第１の領域への書き込みが終了するまで、前記第２のファイル制御手段の書込み制御手段による前記第２の領域へのバックアップデータの書込み制御動作を禁止する書込み禁止制御手段、
として機能させる自動バックアッププログラムを記録したことを特徴とする記録媒体。
【請求項５】
更に、前記第２の領域へのバックアップデータの書込み中に第１の領域へのデータの書込み要求があった場合には、前記第２のファイル制御手段に該第２の領域へのバックアップデータの書込み中断制御を行わせた後、前記第１のファイル制御手段に前記第１の領域へのデータの書込み再開制御を行わせ、前記第１の領域へのデータの書込みの終了後に前記第２のファイル制御手段に前記第２の領域への書込み再開制御を行わせ、コンピュータ装置がシャットダウンされた場合は前記第２の領域へのバックアップデータの書込み中に第１の領域へのデータの書込み要求があっても、前記第２のファイル制御手段による前記第２の領域へのバックアップデータの書込み制御を優先させるバックアップ制御手段、
として機能させる自動バックアッププログラムを記録したことを特徴とする請求項４記載の記録媒体。
【発明の詳細な説明】
【０００１】
【発明の属する技術分野】
本発明は、コンピュータ装置におけるデータの自動バックアップ技術に関する。
【０００２】
【従来の技術】
コンピュータ装置において、アプリケーションプログラムによりデイスク装置等の保存メモリにデータを記憶する場合のデータの自動保全技術、すなわち自動バックアップ技術が開発され、コンピュータ装置の「データの自動バックアップシステム」として用いられている。
従来のデータの自動バックアップシステムとして、ファイルを正副二重化したもの、すなわち、保存データ記憶領域（正ファイル領域）とバックアップデータ記憶領域（副ファイル領域）を確保しアプリケーションプログラムにより保存メモリへのデータ書き込み命令（Ｉ／Ｏ命令、Ｉ／Ｏインストラクション）があると、書込みのために転送されたデータをファイル制御システムにより保存メモリの保存データ記憶領域に確保されたファイルに記憶し、さらに所定のタイミングでバックアップデータ記憶領域に確保されるバックアップファイルに記憶することにより、保存データへの書込み時等に障害が生じてもバックアップデータ記憶領域に記憶されている前回までのバックアップファイルの内容（データ）を保存データ記憶領域の対応のファイルにコピーすることによりデータの回復を行なうことができるようにしているものがある。
なお、ここでいうファイル制御システムはファイルへのデータ転送、書込み、読み出し及びデータ転送を制御する一連のプログラム（単一プログラムまたは複数のプログラムモジュールから構成されている）からなり、ＯＳ（オペレーションシステム）に一部として組み込まれているものや、独立のプログラムモジュールとして構成されＯＳの制御下で動作するものがある。また、コントローラ、ドライバ等と呼ばれる場合がある。
【０００３】
また、正副二重化されたファイル領域をさらに二重化することにより、上記従来の保存データ記憶領域（正ファイル領域）とバックアップデータ記憶領域（副ファイル領域）を二重に備えるようにし、正副二重化ファイルシステムのソフトウエア面からの信頼性の向上を図ろうとした技術（特開平３−６７５２号に開示の技術）がある。
【０００４】
ここで、上記特開平３−６７５２号に開示の技術は、
「ファイルにおける通常の運用に使用されるＡ，Ｂ２つの運用領域（＝データ記憶領域）と、ファイル二重化制御部と、上記運用領域と同じ内容のＡ，Ｂ２つのバックアップ領域（＝バックアップデータ記憶領域）と、バックアップ領域Ａ，Ｂに対する書込み、読み出しを制御するバックアップ制御部を備える」
ことにより、（例えば、運用領域Ａとバックアップ領域Ａを確保したデスク装置と運用領域Ｂとバックアップ領域Ｂを確保したデスク装置を備えるようにして）正副二重化ファイルをさらに二重化し、
「ソフトウエア（＝アプリケーションプログラム）内部のデータ領域の内容を順次ファイル二重化制御部を介して運用領域Ａ，Ｂのファイル（データファイル）に書込み、次いで運用領域Ａ，Ｂに書き込まれた内容をバックアップ制御部に読み出し、バックアップ制御部に読み出された内容をバックアップ領域Ａ，Ｂへファイル二重化制御部を介して書込み、運用領域Ａ，Ｂへの書込みが完了しないうちにシステムに障害が発生した時は、バックアップ領域Ａ，Ｂからバックアップ制御部及びファイル二重化制御部を介して運用領域Ａ，Ｂへ内容を書き込み、バックアップ領域Ａ，Ｂへの書込みが完了しないうちに保存メモリ（例えば、デスク装置）に障害が発生した時は、運用領域Ａ，Ｂからバックアップ制御部及びファイル二重化制御部を介してバックアップ領域Ａ，Ｂへ内容を書き込むよう制御を行なう」
ことにより、外的要因による障害があってもバックアップファイルまたはデータファイルのどちらかからデータを復旧できるように構成している。
【０００５】
【発明が解決しようとする課題】
しかしながら、上記従来のデータの自動バックアップシステムのうち、ファイルを正副二重化したものでは、保存データ記憶領域（正ファイル領域）とバックアップデータ記憶領域（副ファイル領域）へのデータの書込み、読み出しを同一のファイル制御システムによって制御しているため、ファイル制御システムに何らかの異常が発生して動作が不安定になったり停止した場合にはバックアップデータ記憶領域に保存されるデータの信頼性が低下するといった問題点があった。また、このようにデータ記憶領域とバックアップデータ記憶領域へのデータの書込み、読み出しを同一のファイル制御システムによって制御している自動バックアップシステムでファイル制御システムに障害が起きてロックされたような場合（動作が停止した状態が発生した場合）にはコンピュータ装置全体の動作が停止する（システムダウンの発生）といった問題点があった。また、コンピュータ装置が再起動できないような場合にはバックアップデータ記憶領域に保存されているバックアップデータを用いてのデータの回復ができなくなる場合が生じうるといった問題点があった。
【０００６】
また、上述した特開平３−６７５２号に開示の技術のように、保存メモリ（例えば、デスク装置）を二重化して正副ファイル領域をさらに二重化する方式では、電源異常等の外部要因によるシステムダウン障害等からの保護（データの復旧）は可能であるが、内部要因（例えば、ファイル制御システムのバグ等による不具合の発生）によるシステム障害については、保存記憶装置を二重化してもそのなかの運用領域Ａ及びバックアップ領域運用領域Ａと運用領域Ｂ及びバックアップ領域Ｂに対するデータの書込み，読み出しを制御するファイル制御システムが同じである以上、二重化した各領域に同じ障害が生じる可能性が高いといった問題点があった。また、コンピュータ装置の継続動作についてもファイル制御システムを原因とした障害によるシステムダウンの場合は継続動作不能となり、バックアップしたデータを基にしたデータの復旧等にかなり手間取ることとなるといった問題点があった。また、コンピュータ装置が動作している場合は、バックアップ領域へのデータ保存処理に時間がかかる（二重化されているので）のでその分その他の処理が遅くなる場合が生ずるといった問題点もあった。
【０００７】
本発明は、コンピュータ装置の自動バックアップ技術における上述したような問題点を解決するためになされたものであり、特別なハードウエア構成を必要とせず、且つ内的要因による障害が起きた場合にも信頼性の高いバックアップを行なうと共にデータ復旧に手間取ることのない自動バックアップシステムの提供を目的とする。
【０００８】
【課題を解決するための手段】
上記問題を解決するために、請求項１に記載の発明は、コンピュータ装置の自動バックアップシステムであって、データを保存する第１の領域及びバックアップデータを保存する第２の領域を有する保存メモリと、第１の領域に対するデータの書込み／読み出し動作を制御する第１のファイル制御手段と、第１のファイル制御手段とはデータの書込み／読み出し動作の制御機能は同じであるが構造が異なるファイル制御手段であって、第２の領域に対するデータの書込み／読み出し動作を制御する第２のファイル制御手段と、コンピュータ装置による処理の過程で第１の領域へのデータの書込みを行なう場合は、第１のファイル制御手段の書込み制御手段によるデータの書込み制御動作を第２のファイル制御手段によるバックアップデータの書込み制御動作より優先して動作させる書込み制御手段と、を備えたことを特徴とする自動バックアップシステムを提供する。
【０００９】
また、請求項２に記載の発明は、書込み制御手段は、第２のファイル制御手段による第２の領域へのバックアップデータの書込み中に第１の領域へのデータの書込み要求があった場合には、第２のファイル制御手段に該第２の領域へのバックアップデータの書込み中断制御を行わせた後、該第１のファイル制御手段に第１の領域へのデータの書込み制御を行わせ、第１の領域へのデータの書込みの終了後に第２のファイル制御手段に第２の領域への書込み再開制御を行わせることを特徴とする請求項１記載の自動バックアップシステムを提供する。
また、請求項３に記載の発明は、更に、書込み制御手段は、コンピュータ装置がシャットダウンされた場合は第２の領域へのバックアップデータの書込み中に第１の領域へのデータの書込み要求があっても、第２のファイル制御手段による第２の領域へのバックアップデータの書込み制御を優先させることを特徴とする請求項２記載のバックアップシステムを提供する。
【００１０】
また、請求項４に記載の発明は、コンピュータによる処理の過程で保存メモリに書き込まれるデータの自動バックアップを行なう自動バックアッププログラムを記録した記録媒体であって、コンピュータを、保存メモリに割り当てられている第１の領域に対するデータの書込み／読み出し動作を制御する第１のファイル制御手段、第１のファイル制御手段とはデータの書込み／読み出し動作の制御機能は同じであるが構造が異なるファイル制御手段であって、保存メモリに割り当てられている第２の領域に対するデータの書込み／読み出し動作を制御する第２のファイル制御手段、コンピュータによる処理の過程で第１の領域へのデータの書込みを行なう場合は、この第１の領域への書き込みが終了するまで、第２のファイル制御手段の書込み制御手段による第２の領域へのバックアップデータの書込み制御動作を禁止する書込み禁止制御手段、として機能させる自動バックアッププログラムを記録したことを特徴とする記録媒体を提供する。
また、請求項５に記載の発明は、更に、第２の領域へのバックアップデータの書込み中に第１の領域へのデータの書込み要求があった場合には、第２のファイル制御手段に該第２の領域へのバックアップデータの書込み中断制御を行わせた後、第１のファイル制御手段に第１の領域へのデータの書込み再開制御を行わせ、第１の領域へのデータの書込みの終了後に第２のファイル制御手段に第２の領域への書込み再開制御を行わせ、コンピュータ装置がシャットダウンされた場合は第２の領域へのバックアップデータの書込み中に第１の領域へのデータの書込み要求があっても、第２のファイル制御手段による第２の領域へのバックアップデータの書込み制御を優先させるバックアップ制御手段として機能させる自動バックアッププログラムを記録したことを特徴とする請求項４記載の記録媒体を提供する。
【００１１】
【発明の実施の形態】
[構成]
図１は本発明の自動バックアップ方法を適用し得るコンピュータ装置の要部説明図であり、コンピュータ装置１００はコンピュータ装置の動作時にＲＡＭ（図示せず）に駐在するソフトウエアシステム１とデスク装置（保存メモリ）２を備えている。
【００１２】
ソフトウエアシステム１はＣＰＵ(図示せず）の制御下で個々のタスクを実行するアプリケーションプログラム１１とＣＰＵの制御下でコンピュータ装置全体（ソフトウエアを含む）の管理及び運営動作を実行するＯＳ（オペレーションシステム）を備えている（図１の例ではそのうちデータの書込み及びバックアップに関連するファイルマネージャー１２、ファイル制御システム１３（以下、ファイル制御システムＡ）及びファイル制御システム１４（以下、ファイル制御システムＢ）のみが図示されている）。
【００１３】
ディスク装置２はアプリケーションプログラム１１のＩ／Ｏ命令（ＲＥＡＤ／ＷＲＩＴＥ命令）により書込みまたは読み出しされるデータを格納するファイルが設定されたデータ保存エリア２１と、バックアップ用データを記憶するバックアップエリア２２を有している。
【００１４】
また、アプリケーションプログラム１１はその処理のある段階でＩ／Ｏ命令を発して、アプリケーションプログラム１１のデータエリア内のデータをデスク装置３（デスク装置に確保され、アプリケーションプログラムからのパラメータによって指定されるファイル）に書き込むか、デスク装置３からのデータの読み出しを行なう。
【００１５】
ファイルマネジャー１２はファイル制御システムＡ、Ｂの動作を管理し、Ｉ／Ｏ命令を発したアプリケーションプログラム１１のデータエリアにあるデータのデータ保存エリア２１への書込みまたはバックアップエリア２２への書込み／読み出しの制御を行わせる。また、ファイル制御システムＡはファイルマネジャー１２によって書込み指示が出されるとディスク装置２を制御してＩ／Ｏ命令を発したアプリケーションプログラム１１のデータエリアにあるデータのデータ保存エリア２１への書込みを行わせる。また、ファイル制御システムＢはファイルマネジャー１２によって書込み指示が出されるとディスク装置２を制御してＩ／Ｏ命令を発したアプリケーションプログラム１１のデータエリアにあるデータ（バックアップデータ）のバックアップエリア２２への書込みを行わせる。なお、ファイル制御システムＡとファイル制御システムＢは機能的には同様であるが構成が異なっている。ここで、ファイル制御システムＡとファイル制御システムＢとが機能的には同一であるが異なっているという意味は、書込み領域（ファイル）は異なっているがファイルへのデータの書込み／読み出し制御方法(制御機能）は同じであるという意味で機能的に同一であるが、ファイル制御システム構成をする全部または一部のプログラムの構成が異なること（例えば、基本的なフローチャートは同じであるが詳細フローチャートが異なるプログラム、または作成者(チーム）が異なるか作成の時期が異なるプログラムであること、すなわち、機能は同じであるが命令コードの数、組み合わせの順序等が完全には一致していないこと）を意味する。
【００１６】
[自動バックアップ]
図１で、ファイルマネジャー１２はデータ保存エリア２１にアプリケーションプログラム１１から指示されたデータの書込みを行なう場合に、所定のタイミングでそのデータをバックアップエリア２２にも書き込ませる指示をファイル制御システムＢに出す。また、ファイルマネジャー１２はファイル制御システムＡをファイル制御システムＢより優先して動作させる。ファイルマネージャー１２にこのような機能を持たせることでデータ保存エリア２１に記憶されるデータをバックアップエリア２２に記憶(自動バックアップ）すると共に、バックアップ動作によってアプリケーションプログラム１１の処理が遅れることがなくなる。
【００１７】
この場合、仮に、ファイル制御システムＡ、Ｂが同一プログラムで構成されていると、ファイル制御システムＡが内在的要因（バグ等）により誤動作／停止した場合、ファイル制御システムＢも同様の要因により誤動作／停止する可能性が極めて高いがファイル制御システムＡ、Ｂの構成が異なるので、ファイル制御システムＡ、Ｂのどちらか一方に内在的要因による問題が生じても、正常に動作する他の一方のファイル制御システムによってデータの保全が保証される。
【００１８】
また、上述したようにファイルマネジャー１２はファイル制御システムＡをファイル制御システムＢより優先して動作させるので、アプリケーションプログラム１１からデータ保存エリア２１へのデータの書込みがデータバックアップエリア２２への書込みより優先し、バックアップエリア２２側へのデータの流れｂによってデータ保存エリア２１側への流れａが影響を受けることがなくなり、従来技術の場合のようにバックアップ動作によるアプリケーションプログラム１１の処理の遅れが生じない。
【００１９】
[バックアップ制御動作]
図２はファイルマネジャー１２による２つのファイル制御システムＡ，Ｂ間の優先順位と処理の流れを示す説明図であり、図３はファイルマネジャー１２による自動バックアップ制御動作の一実施例を示すフローチャートである。以下、図１，図２を基に図３のフローチャートにより自動バックアップ時の制御動作を説明する。
【００２０】
ステップＳ１：（データの書込み命令）
図３で、コンピュータシステム１００上で動作するアプリケーションプログラム１１の処理動作の中のある段階でそのデータエリアのデータのファイルへの書込み命令が出される（つまり、プログラムカウンタが、ＣＰＵが行なうアプリケーションプログラムの実行制御のステップとしてデータの書き込み命令の実行に相当するコードを内容としたアドレスを指す）と、指定されたファイルへの書込み指令(命令）（書き込み命令コード、ファイル指定パラメータ、データエリアのアドレス、転送データサイズ等のデータを含む）がファイルマネジャー１２に渡される。
【００２１】
ステップＳ２：(データ保存エリア(ファイル）へのデータの書込み）
ファイルマネジャー１２はアプリケーションプログラム１１からの書き込み命令をファイル制御システムＡに渡し、ファイル制御システムＡはアプリケーションプログラム１１のデータエリアにあるデータをデスク装置２に転送し、デスク装置２を制御してデータ保存エリア２１の指定のファイルに転送データを書き込む。
【００２２】
ステップＳ３：（データ保存エリアへの書込み終了判定）
ファイルマネジャー１２はデータ保存エリア２１へのデータの書込みが終了するまでファイル制御システムＢによるバックアップデータのバックアップエリア２２への書込み制御を禁止する。すなわち、ファイルマネジャー１２はデータ保存エリア２１へのデータの書込みが終了したか否かを調べ、終了した場合にはＳ４に遷移し、終了しない場合はＳ３に戻る。
【００２３】
ステップＳ４：（シャットダウン処理中か否かの判定）
コンピュータ装置１００の処理のシャットダウン（ユーザ又はプログラムによる電源オフ等の正常な終了や電源異常による異常終了）の場合には通常一連の終了処理がＯＳの管理下で別途終了処理プログラム（正常終了処理プログラムまたは異常終了処理プログラム）により実行される。この場合、ファイルマネジャー１２はファイル制御システムＡによるデータのデータ保存エリア２１への書き込み制御を禁止する。すなわち、ファイルマネージャー１２はコンピュータ装置の終了状態フラグを調べ、終了状態の場合はバックアップ処理を行なうためにＳ６に遷移する。また、シャットダウン処理中でない場合（正常にアプリケーションプログラムが動作し、終了状態でない場合）にはＳ５に遷移する。
【００２４】
ステップＳ５：（データ保存エリアへのアクセスの有無判定）
ファイルマネジャー１２はアプリケーションプログラム１１からのアクセス(データの書き込み又は読み出し命令実行）の有無を調べ、アクセスがない場合にはＳ６に遷移し、アクセスがあった場合には次のデータの書き込み又は読み出しのためにＳ２に戻る。このステップＳ５の動作は図２のデータ保存エリアへの書込みタスク５１が終了してからバックアップエリア２２への書込みタスク５２が実行される処理に相当する動作であり、データ保存エリア２１への書込みがバッファエリア２２への書込みより優先されることを意味する。
【００２５】
ステップＳ６：（バックアップエリアへの書込み終了判定）
ファイルマネジャー１２はバックアップエリア２２へのデータの書込みが終了したか否かを調べ、終了した場合には処理を終了し、そうでない場合にはＳ７に遷移する。
【００２６】
ステップＳ７：(バックアップ処理）
ファイルマネジャー１２はアプリケーションプログラム１１からの書き込み命令をファイル制御システムＢに渡し、ファイル制御システムＢはアプリケーションプログラム１１のデータエリアにあるデータをデスク装置２に転送し、デスク装置２を制御してバックアップエリア２２の指定のファイルに転送データを書き込む。
【００２７】
なお、図２でバックアップエリア２２へのバックアップ処理を行なっている間に、マルチプロセス処理でデータ保存エリア書込みタスク５３が発生すると、ファイルマネジャー１２はファイル制御システムＢにバックアップエリア２２へのデータの書込みを中断させ、ファイル制御システムＡに制御を渡してデータ保存エリア２１への書込み処理を優先実行させる（このとき、ファイル制御システムＢはバックアップエリア２２の最終書込みアドレスとデータ保存エリア書込みタスク５１のデータエリアのうちの書込み最終アドレスを保持する）。この優先動作は図３のフローチャートのＳ５の「データ保存エリア２１へのアクセスが発生した場合」に相当するので、再びデータ保存エリアへの書き込み処理（Ｓ２）を実行する。
また、図２に示すように、その後、データ保存エリア書込みタスク５２が終了すると(図３のＳ３、Ｓ４、Ｓ６の経路で）ファイルマネジャー１２はファイル制御システムＢに遷移してバックアップエリア２２への書込み処理を再開させる（ファイル制御システムＢは保持していたバックアップエリア２２の最終書込みアドレスとデータ保存エリア書込みタスク５１のデータエリアのうちの最終書込みアドレスを基に書込みを再開する）。
但し、図２のデータ保存エリア書込みタスク５１やデータ保存エリア書込みタスク５３のようなデータ保存エリア２１への優先処理が常に優先されるとバックアップエリア２２への書込み処理が中断したままになるため、図３のＳ４に示したようにコンピュータ装置１００のシャットダウン処理中はバックアップエリア２２への書込みを優先させてシステムのシャットダウン(終了処理）を行なう。
【００２８】
上記構成により、データ保存エリア２１への書込み処理とバックアップエリア２２への書込み処理がそれぞれファイル制御システムＡとファイル制御システムＢ（Ａ≠Ｂ）によって制御されるので、データ保存エリア２１へのデータ書込み処理が不具合により停止しても、バックアップエリア２２にデータ(バックアップデータ）が正常に保存されているので、これのデータを元にしてデータ保存エリア２１の指定ファイルを復旧することができる。
このように、上記構成によれば、非常に堅牢で復旧可能な自動バックアップシステムが構築される。また、従来技術ではバックアップ処理を行なうにはバックアップ処理を行なうための専用の処理時間を要したが、本発明ではこのような専用時間をほとんど不要なものとすることができる。また、同時に、アプリケーションプログラムの処理速度に影響を与えないようにバックアップ動作を行なうことができる。
【００２９】
以上、本発明の一実施例について説明したが本発明は上記実施例に限定されるものではなく、種々の変形実施が可能であることはいうまでもない。
【００３０】
【発明の効果】
上記説明したように、本発明の自動バックアップシステムによれば、データの書込み制御を行なうファイル制御システムとバックアップデータの書込み制御を行なうファイル制御システムが異なるのでデータの書込み制御を行なうファイル制御システムの不具合により障害が生じた場合でも、バックアップデータは正常に書き込まれるのでデータを完全に損なう可能性がほとんどなく、データの復旧が保証される。また、ファイル制御システムに障害が生じてもコンピュータ装置の動作継続が可能である。
【図面の簡単な説明】
【図１】本発明の自動バックアップ方法を適用し得るコンピュータ装置の要部説明図である。
【図２】２つのファイル制御システム間の優先順位と処理の流れを示す説明図である。
【図３】自動バックアップ制御動作の一実施例を示すフローチャートである。
【符号の説明】
２  保存メモリ
１２  ファイルマネジャー（書込み禁止手段、バックアップ制御手段）
１３  ファイル制御システムＡ（第１のファイル制御手段)
１４  ファイル制御システムＢ（第２のファイル制御手段）
２１  データ保存エリア（第１の領域）
２２  バックアップエリア(第２の領域）
１００  コンピュータ装置
【図１】
0004358943.tif 000002
【図２】
0004358943.tif 000003
【図３】
0004358943.tif 000004